(57)【要約】【課題】  打撃工具において、ハンマ作業時に生ずる工具本体の振動の制振および打撃動作後の被加工材から受ける反力の低減に関する機構の合理化に資する技術を提供する。【解決手段】  本発明の打撃工具は、工具本体１０３と、ウェイト１６３および弾性要素１６５Ｆ，１６５Ｒを有しハンマ作業時の制振を行う動吸振器１６１と、ハンマ作業に先立って、被加工材に対する工具本体１０１の位置決めをなすとともに、当該位置決め状態において、ハンマ作動部材１１９，１４５が被加工材にハンマ作業をする際、当該ハンマ作動部材１１９，１４５に作用する被加工材からの跳ね返りによる反力を吸収する位置決め弾性体と、を有する。位置決め弾性体は、動吸振器１６１の構成部材としての弾性要素１６５Ｆ，１６５Ｒによって構成されている。【選択図】  図２
2008279585.tif 000002
【特許請求の範囲】
【請求項１】
ハンマ作動部材の長軸方向の打撃動作により被加工材に所定のハンマ作業を行う打撃工具であって、
工具本体と、
弾性要素による付勢力が作用した状態で直線運動可能とされたウェイトを有し、当該ウェイトが前記ハンマ作動部材長軸方向に運動することによってハンマ作業時の制振を行う動吸振器と、
前記ハンマ作業に先立って、前記ハンマ作動部材が被加工材に押し付けられて前記工具本体側へと押し込まれたとき、前記ハンマ作動部材と当接することで被加工材に対する前記工具本体の位置決めをなすとともに、当該位置決め状態において、前記ハンマ作動部材が被加工材にハンマ作業をする際、当該ハンマ作動部材に作用する被加工材からの跳ね返りによる反力を吸収する位置決め弾性体と、を有し、
前記位置決め弾性体は、前記動吸振器の構成部材としての前記弾性要素によって構成されていることを特徴とする打撃工具。
【請求項２】
請求項１に記載の打撃工具であって、
前記ハンマ作動部材を直線状に駆動する駆動機構と、
前記駆動機構を収容するシリンダと、を更に有し、
前記動吸振器を構成する前記ウェイトおよび前記弾性要素が、前記シリンダの外側に円環状に配置されていることを特徴とする打撃工具。
【請求項３】
請求項１または２に記載の打撃工具であって、
前記ハンマ作動部材に作用する反力が、前記弾性要素を介して前記ウェイトを積極的に加振する加振手段を構成することを特徴とする打撃工具。
【発明の詳細な説明】
【技術分野】
【０００１】
本発明は、被加工材に直線状のハンマ作業を行う打撃工具において、ハンマ作業の際に被加工材から受ける反力を緩和する技術に関する。
【背景技術】
【０００２】
特開昭５２−１０９６７３号公報（特許文献１）では、制振装置が設けられた電動ハンマの構成が開示されている。この従来の電動ハンマでは、本体ハウジングの下方側であってモータハウジングの前方をなす領域に、当該本体ハウジング（およびモータハウジング）と一体状に防振室を形成するとともに、この防振室内に動吸振器を収容する。そしてハンマビット駆動の際に生じるハンマビット長軸方向の振動が当該動吸振器によって吸振されるように構成される。
ところで、実際のハンマ作業は、作業者が工具本体に前方に向う押圧力を加え、ハンマビットを被加工材に押し付けた状態で行われる。このときの被加工材に対する工具本体の位置決めは、工具本体側（後方）へと押し込まれるハンマビットと共に後退動作されるインパクトボルトが工具本体側の非弾性体（例えば、シリンダ）に当接することによってなされる。この位置決め状態で、ハンマビットによる打撃動作が行われると、ハンマビットが被加工材から受ける反力で跳ね返り、当該反力が工具本体に伝達されてしまう。このため、従来のハンマでは、インパクトボルトと工具本体側の非弾性体との間に緩衝部材を介在し、当該緩衝部材の緩衝作用によりハンマビットが受ける反力を低減している。
【０００３】
しかしながら、従来の電動ハンマでは、動吸振器により振動の制振を行い、かつ緩衝部材により工具ビットの跳ね返りによる反力を低減する構成であり、振動の制振あるいは低減に関し複数の機構を必要とするものであり、この点でなお改良の余地がある。
【特許文献１】特開昭５２−１０９６７３号公報
【発明の開示】
【発明が解決しようとする課題】
【０００４】
本発明は、かかる点に鑑み、打撃工具において、ハンマ作業時に生ずる工具本体の振動の制振および打撃動作後の被加工材から受ける反力の低減に関する機構の合理化に資する技術を提供することを目的とする。
【課題を解決するための手段】
【０００５】
上記課題を達成するため、本発明に係る打撃工具の好ましい形態は、ハンマ作動部材の長軸方向の打撃動作により被加工材に所定のハンマ作業を行う打撃工具において、工具本体と、位置決め弾性体と、動吸振器とを有する。なお本発明における「所定のハンマ作業」とは、ハンマ作動部材が長軸方向の打撃動作のみを行うハンマ作業のみならず、長軸方向の打撃動作と長軸方向回りの回転動作とを行うハンマドリル作業を好適に包含する。また本発明における「ハンマ作動部材」とは、典型的には、工具ビットおよび当該工具ビットに打撃力を伝達するインパクトボルトがこれに該当する。動吸振器は、弾性要素による付勢力が作用した状態で直線運動可能とされたウェイトを有し、当該ウェイトがハンマ作動部材長軸方向に運動することによってハンマ作業時の制振を行う。位置決め弾性体は、ハンマ作業に先立って、ハンマ作動部材が被加工材に押し付けられて工具本体側へと押し込まれたとき、当該ハンマ作動部材と当接することで被加工材に対する工具本体の位置決めをなすとともに、位置決め状態において、ハンマ作動部材が被加工材にハンマ作業をする際、当該ハンマ作動部材に作用する被加工材からの跳ね返りによる反力を吸収する構成とされる。なお本発明における「位置決め弾性体」は、典型的には、バネがこれに該当する。また位置決め弾性体とハンマ作動部材との当接は、典型的には、介在物を介して行われるが、直接に当接する態様を包含する。
【０００６】
本発明の打撃工具の好ましい形態によれば、位置決め弾性体は、動吸振器の構成部材としての弾性要素によって構成されていることを特徴としている。すなわち、本発明においては、ハンマ作業に際しての、被加工材に対する工具本体の位置決めを、動吸振器の弾性要素によって行う構成としたものである。これにより、動吸振器は、ウェイトと弾性要素との協働によりハンマ作業時に工具本体部に生ずるハンマ長軸方向の振動を抑制する制振機構として作用し、また動吸振器の弾性要素は、ハンマ作動部材が被加工材から受ける反力によって弾性変形することで当該反力を吸収し、当該反力が工具本体に伝達することを低減する。このように、本発明によれば、動吸振器の弾性要素が、工具本体の位置決めおよび反力吸収の各機能を有する構成としたことにより、振動低減に関する部品点数が削減されることになり、構造の簡素化を図ることができる。なお位置決め弾性体を兼用する弾性要素は、通常作業者がハンマ作動部材を被加工材に押し付ける力以上の余圧を有するように設定される。
【０００７】
本発明の打撃工具の更なる形態によれば、ハンマ作動部材を直線状に駆動する駆動機構と、駆動機構を収容するシリンダと、を更に有する。そして動吸振器を構成するウェイトおよび弾性要素が、シリンダの外側に円環状に配置されていることを特徴とする。このような配置とすることにより、シリンダの外周空間を有効に活用でき、また動吸振器のウェイトの重心をハンマ作動部材の長軸線上に一致させる配置が可能となり、偶力の発生を未然に防止できる。
【０００８】
本発明の打撃工具の更なる形態によれば、ハンマ作動部材に作用する反力が、前記弾性要素を介して前記ウェイトを積極的に加振する加振手段を構成することを特徴とする。動吸振器は、本来的には、工具本体の振動に基づいてウェイトが加振され、これによって工具本体の振動を受動的に抑制する機構である。本発明では、かかる受動的な制振機構である動吸振器につき、弾性要素を介してウェイトを積極的に加振する構成のため、動吸振器による振動の制振機能をより高めることが可能となる。特に、本発明では、被加工材から受ける反力をウェイトの加振手段とするため、わざわざ強制加振のための入力手段を設ける必要がなく、動力の消費を抑える上で有効であり、構造的にも簡素化が図られる。
【発明の効果】
【０００９】
本発明によれば、打撃工具において、ハンマ作業時に生ずる工具本体の振動の制振および打撃動作後の被加工材から受ける反力の低減に関する機構の合理化に資する技術が提供されることとなった。
【発明を実施するための最良の形態】
【００１０】
以下、本発明の実施形態につき、図１〜図３を参照しつつ詳細に説明する。本実施の形態は、打撃工具の一例として電動ハンマを用いて説明する。図１は本実施の形態に係る電動ハンマの全体構成を示す側断面図、図２および図３はそれぞれ電動ハンマの主要部を示す拡大断面図であり、図２にはハンマビットが被加工材に押し付けられていない無負荷状態が示され、図３にはハンマビットが被加工材に押し付けられた負荷状態が示される。
【００１１】
本実施の形態に係る電動ハンマ１０１は、図１に示すように、概括的に見て、電動ハンマ１０１の外郭を形成する本体部１０３と、当該本体部１０３の先端領域（図示左側）にツールホルダ１３７を介して着脱自在に取付けられたハンマビット１１９と、本体部１０３のハンマビット１１９の反対側に連接された作業者が握るハンドグリップ１０９とを主体として構成されている。本体部１０３は、本発明における「工具本体」に対応する。ハンマビット１１９は、ツールホルダ１３７によってその長軸方向への相対的な往復動が可能に、かつその周方向への相対的な回動が規制された状態で保持される。なお説明の便宜上、ハンマビット１１９側を前、ハンドグリップ１０９側を後という。
【００１２】
本体部１０３は、駆動モータ１１１を収容したモータハウジング１０５と、運動変換機構１１３および打撃要素１１５を収容したギアハウジング１０７とによって構成されている。駆動モータ１１１の回転出力は、運動変換機構１１３によって直線運動に適宜変換された上で打撃要素１１５に伝達され、当該打撃要素１１５を介してハンマビット１１９の長軸方向（図１における左右方向）への衝撃力を発生する。なお、ハンドグリップ１０９には、作業者がスライド操作することで駆動モータ１１１を通電駆動するスライドスイッチ１０９ａが設けられている。
【００１３】
運動変換機構１１３は、駆動モータ１１１により水平面内にて回転駆動される駆動ギア１２１、当該駆動ギア１２１に噛み合い係合する被動ギア１２３を有するクランク板１２５、当該クランク板１２５の回転中心から所定距離偏心した位置に一方の端部が偏心軸１２６を介して遊嵌状に連接されたクランクアーム１２７、当該クランクアーム１２７の他端部に連結軸１２８を介して取り付けられた駆動子としてのピストン１２９を主体として構成される。上記のクランク板１２５、クランクアーム１２７、ピストン１２９によってクランク機構が構成される。
【００１４】
図２および図３に示すように、打撃要素１１５は、シリンダ１４１のボア内壁に摺動自在に配置された打撃子としてのストライカ１４３と、ツールホルダ１３７に摺動自在に配置されるとともに、ストライカ１４３の運動エネルギをハンマビット１１９に伝達する中間子としてのインパクトボルト１４５とを主体として構成される。シリンダ１４１内には、ピストン１２９とストライカ１４３との間に空気室１４１ａが形成される。ストライカ１４３は、ピストン１２９の摺動動作に伴うシリンダ１４１の空気室１４１ａの空気バネを介して駆動され、ツールホルダ１３７に摺動自在に配置された中間子としてのインパクトボルト１４５に衝突（打撃）し、当該インパクトボルト１４５を介してハンマビット１１９に打撃力を伝達する。インパクトボルト１４５およびハンマビット１１９は、本発明における「ハンマ作動部材」に対応する。
【００１５】
空気バネの作用を介してストライカ１４３を駆動するための空気室１４１ａは、シリンダ１４１に形成された空打ち防止用の通気孔１４１ｂを介して外部と連通されている。ハンマビット１１９が被加工材に押し付けられていない無負荷状態、つまりインパクトボルト１４５が押し込まれていない状態では、ストライカ１４３は、通気孔１４１ｂを開放する前方位置に移動することが可能とされる（図２参照）。一方、作業者が本体部１０３に前方への押圧力を加えてハンマビット１１９を被加工材に押し付けた負荷状態では、ストライカ１４３は、後退動作されるインパクトボルト１４５で押されて通気孔１４１ｂを閉じる（塞ぐ）後方位置へと移動される（図３参照）。
このように、空気室１４１ａの通気孔１４１ｂは、ストライカ１４３によって開閉制御される構成であり、通気孔１４１ｂが開いたときに空気バネの作用が無効とされ、通気孔１４１ｂが閉じられたときに空気バネの作用が有効とされる。すなわち、通気孔１４１ｂとストライカ１４３によって、無負荷状態でのハンマビット１１９の駆動（空打ち）を防止する空気室開放式の空打ち防止機構が構成されている。
【００１６】
また本実施の形態の電動ハンマ１０１は、ハンマ作業時に本体部１０３に生ずる振動を制振するための動吸振器１６１を有する。シリンダ１４１を収容するギアハウジング１０７の内側と当該シリンダ１４１の外側との間には環状の空間が形成されている。動吸振器１６１は、この環状空間に配置された円筒状のウェイト１６３と、当該ウェイト１６３のハンマビット長軸方向の前方と後方に配置された前後の付勢バネ１６５Ｆ，１６５Ｒとを主体として構成される。付勢バネ１６５Ｆ，１６５Ｒは、本発明における「弾性要素」に対応する。前後の付勢バネ１６５Ｆ，１６５Ｒは、ウェイト１６３がハンマビット１１９の長軸方向に移動する際にウェイト１６３に対向状の弾発力を付与する。なおギアハウジング１０７のシリンダ１４１を収容する部分については、別部材としての筒状部材（バレル）１０８によって形成されているが、この筒状部材１０８とギアハウジング１０７は、互いに固定された構造であり、実質的には一部品を構成している。
【００１７】
ウェイト１６３は、その中心がハンマビット１１９の長軸線と一致するように配置されるとともに、その外周面がギアハウジング１０７の内周面に接した状態で摺動自在とされる。また前後の付勢バネ１６５Ｆ，１６５Ｒは、それぞれ圧縮コイルバネによって構成されており、ウェイト１６３と同様、各中心がハンマビット１１９の長軸線と一致するように配置されている。後側の付勢バネ１６５Ｒは、一端（後端）がギアハウジング１０７に形成されたバネ受面１０７ａに当接され、他端（前端）がウェイト１６３の軸方向後端に当接される。また前側の付勢バネ１６５Ｆは、一端（後端）がウェイト１６３の軸方向前端に当接され、他端（前端）がバネ受部材１６７に当接される。
バネ受部材１６７は、外張り出し状のフランジ部１６７ａを有するリングであり、筒状部材１０８の筒孔内周面にハンマビット長軸方向に摺動可能に嵌合されるとともに、フランジ部１６７ａが筒状部材１０８に形成された段差状の係止面１０８ａに後方から当接され、常時には当該当接位置に保持される。
【００１８】
上記のように構成された動吸振器１６１は、ハンマ作業時（ハンマビット１１９の駆動時）に発生する衝撃的かつ周期的な振動に対し制振機能を奏する。すなわち、制振対象である電動ハンマ１０１の本体部１０３に対して、動吸振器１６１における制振要素であるウェイト１６３および付勢バネ１６５Ｆ，１６５Ｒが協働して受動的な制振を行なう。これにより電動ハンマ１０１の振動が効果的に抑制されることとなる。
【００１９】
電動ハンマ１０１は、作業者が本体部１０３に前方への押圧力を加えてハンマビット１１９を被加工材に押し付けたとき、当該ハンマビット１１９と共に後方（ピストン１２９側）へと押し込まれるインパクトボルト１４５が本体側部材に当接することで被加工材に対する本体部１０３の位置決めが行われる。本実施の形態では、この位置決めにつき、位置決め部材１５１を介して上述した動吸振器１６１の付勢バネ１６５Ｆ，１６５Ｒによって行う構成としている。
【００２０】
位置決め部材１５１は、リング状に形成されたゴム製のラバーリング１５３と、当該ラバーリング１５３の軸方向前面側に接合された硬質の前金属座金１５５と、ラバーリング１５３の軸方向後面側に接合された硬質の後金属座金１５７とからなるユニット部品であり、インパクトボルト１４５の小径部１４５ｂに遊嵌状に嵌合されている。なおインパクトボルト１４５は、ツールホルダ１３７の筒状部内周面に摺動自在に嵌合された大径部１４５ａと、当該大径部１４５ａの後側に形成された小径部１４５ｂとを有する段付円柱状に形成され、大径部１４５ａの外周面と小径部１４５ｂの外周面間にテーパ部１４５ｃが形成されている。そして小径部１４５ｂの外周面と筒状部材１０８の筒状内周面との間に位置決め部材１５１が配置されている。
【００２１】
作業者によってハンマビット１１９が被加工材に押し付けられた負荷時には、ハンマビット１１９とともに後退動作されるインパクトボルト１４５のテーパ部１４５ｃが所定の後退位置で位置決め部材１５１に当接し、当該位置決め部材１５１を後方へ押し込む。後方へと押し込まれた位置決め部材１５１は、バネ受部材１６７の前端面に当接される。すなわち、作業者による被加工材に対するハンマビット１１９の押付力は、付勢バネ１６５Ｆ，１６５Ｒによって弾発状に受け止められ、これによって本体部１０３の被加工材に対する位置決めがなされる。したがって、付勢バネ１６５Ｆ，１６５Ｒは、通常作業者がハンマビット１１９を被加工材に押し付ける力以上の余圧を有するように設定される。
【００２２】
なお位置決め部材１５１は、コイルバネ１５９によって前方へと付勢されている。これにより、位置決め部材１５１は、ハンマビット１１９が被加工材に押し付けられていない無負荷状態では、前金属座金１５５の軸方向前端がツールホルダ１３７の後端部１３７ａと当接される前方位置へと移動されて保持される。このように位置決め部材１５１を前方位置に移動させることで、インパクトボルト１４５をストライカ１４３から離れた位置に置くことができる。これにより、無負荷状態でピストン１２９が駆動されたときのストライカ１４３によるハンマビット１１９の空打ちが防止される。なおコイルバネ１５９は、シリンダ１４１の外側において、動吸振器１６１の前側の付勢バネ１６５Ｆの内径側に並列状に配置され、軸方向の一端（後端）がシリンダ１４１に止着された止輪１５８によって受けられ、他端が位置決め部材１５１の後金属座金１５７の後端面に当接されている。
【００２３】
次に上記のように構成される電動ハンマ１０１の作用について説明する。図１に示す駆動モータ１１１が通電駆動されると、その回転出力により、駆動ギア１２１が水平面内にて回動動作する。すると、駆動ギア１２１に噛み合い係合される被動ギア１２３を介してクランク板１２５が水平面内を周回動作し、これによってクランクアーム１２７を介してピストン１２９がシリンダ１４１内を直線状に摺動動作される。このとき、ハンマビット１１９が被加工材に押し付けられていない無負荷状態であれば、図２に示すように、コイルバネ１５９によって前方へと付勢される位置決め部材１５１は、ツールホルダ１３７の後端部１３７ａにて規定される前方位置に置かれ、これによりストライカ１４３が通気孔１４１ｂを開く前方位置へと移動され、あるいは移動することが許容される。このため、ピストン１２９が前方へ移動される際、空気室１４１ａの空気が通気孔１４１ｂを通じて外部へ放出あるいは吸入されることになり、空気室１４１ａに圧縮バネの作用が生じない。すなわち、ハンマビット１１９の空打ちが防止される。
【００２４】
一方、ハンマビット１１９が被加工材に押し付けられた負荷状態では、図３に示すように、ハンマビット１１９と共に後方へと押し込まれたインパクトボルト１４５によってストライカ１４３が後方へと押され、通気孔１４１ｂを閉じる。このため、ピストン１２９の摺動動作に伴うシリンダ１４１内の空気バネの作用により、ストライカ１４３はシリンダ１４１内を直線運動してインパクトボルト１４５に衝突（打撃）することで、その運動エネルギをハンマビット１１９へと伝達する。これにより、ハンマビット１１９は長軸方向の打撃動作を行い、被加工材にハンマ作業を遂行する。
【００２５】
上述したように、ハンマ作業は、ハンマビット１１９が被加工材に押し付けられた負荷状態で行われる。被加工材に押し付けられることで後方へと押し込まれるハンマビット１１９は、インパクトボルト１４５を後退動作させる。後退動作するインパクトボルト１４５は、位置決め部材１５１を後方へ押す。そして位置決め部材１５１の後金属座金１５７が動吸振器１６１のバネ受部材１６７に当接される。このようにして、作業者によるハンマビット１１９の被加工材に対する押付力は、動吸振器１６１の付勢バネ１６５Ｆ，１６５Ｒによって弾発状に受け止められる。これにより被加工材に対して本体部１０３が位置決めされ、この状態でハンマ作業が遂行される。そしてハンマ作業時において、動吸振器１６１は、本体部１０３に発生するハンマビット長軸方向の周期的な振動に対しウェイト１６３および付勢バネ１６５Ｆ，１６５Ｒが協働して受動的な制振を行う制振機構として作用し、電動ハンマ１０１の振動を効果的に抑制することができる。
【００２６】
また、ハンマビット１１９の被加工材に対する打撃動作後、当該ハンマビット１１９には被加工材からの反力を受けて跳ね返りが生じる。この跳ね返りによる力、すなわち反力は、インパクトボルト１４５、位置決め部材１５１およびバネ受部材１６７を後方へと移動させ、付勢バネ１６５Ｆ，１６５Ｒを弾性変形させる。すなわち、ハンマビット１１９の跳ね返りによる反力は、付勢バネ１６５Ｆ，１６５Ｒの弾性変形によって吸収され、本体部１０３への伝達が低減される。なお、このとき、位置決め部材１５１の後金属座金１５７がシリンダ１４１の前端面に所定の隙間を置いて当接可能に対向し、これにより位置決め部材１５１の最大後退位置を規定している。このため、付勢バネ１６５Ｆ，１６５Ｒによる反力吸収作用は、上記の隙間の範囲内で行われる。
【００２７】
上記のように、本実施の形態においては、ハンマ作業に先立って行われる、被加工材に対する本体部１０３の位置決めと、ハンマビット１１９の打撃動作後に当該ハンマビット１１９が被加工材から受ける反力の吸収を、動吸振器１６１の付勢バネ１６５Ｆ，１６５Ｒを利用して行う構成としたものである。つまり反力吸収用のバネと動吸振器１６１のバネとを共通部品としたものであり、これにより振動の低減に関する部品点数が削減され、構造の簡素化が実現される。
【００２８】
また、ハンマビット１１９の跳ね返りによる反力は、インパクトボルト１４５、位置決め部材１５１、バネ受部材１６７および付勢バネ１６５Ｆ、１６５Ｒを介してウェイト１６３に入力される。すなわち、ハンマビット１１９の跳ね返りによる反力は、動吸振器１６１のウェイト１６３を積極的に加振（駆動）する加振手段として作用する。これにより、動吸振器１６１は、ウェイト１６３を積極駆動する、強制加振による能動的な制振機構として作用し、ハンマ作業時に本体部１０３に生ずる振動を更に効果的に抑制することができる。このようなことから、例えば本体部１０３に強い押圧力を作用させながら加工作業を行なう等のように、制振の要請は高いにも拘らず、動吸振器１６１に入力される振動量が小さく、当該動吸振器１６１が十分に作動しないような作業態様においても、十分な制振機能を確保することが可能となる。
【００２９】
また本実施の形態では、本体部１０３の位置決めを付勢バネ１６５Ｆ，１６５Ｒによって行う構成である。このため、被加工材に対しハンマビット１１９を強く押し付けることによって付勢バネ１６５Ｆ，１６５Ｒを撓ませてインパクトボルト１４５をより後方へと移動することが許容される。すなわち、本発明によれば、ハンマビット１１９を被加工材に強く押し付けたときは、ストライカ１４３のピストン１２９側への押し込み量を増やすことができるため、吸い上げ性が改善される。なおストライカ１４３の吸い上げとは、ピストン１２９が後退動作することによって空気室１４１ａが広がり、それに伴い当該空気室１４１ａ内の空気が冷却するとともに、空気室１４１ａの圧力が低下し、それに基づきストライカ１４３が後方へ移動する現象をいう。
【００３０】
また本実施の形態においては、動吸振器１６１の前側の付勢バネ１６５Ｆと、位置決め部材１５１を前方に付勢するコイルバネ１５９を、ハンマビット１１９の長軸上の同位置において径方向に並列状に配置した構成としている。これにより省スペース化を図る上で合理的な配置構成を実現することができる。また本実施の形態では、ハンマビット１１９が被加工材に押し付けられた負荷状態において、位置決め部材１５１の後金属座金１５７がシリンダ１４１の前端面に所定の隙間を置いて当接可能に対向し、位置決め部材１５１の最大後退位置を規定している。これによりハンマビット１１９および当該ハンマビット１１９に押される、インパクトボルト１４５、ストライカ１４３等が上記の最大後退位置を超えてまで後方へ移動することを規制することができる。
【００３１】
また、本実施の形態では、動吸振器１６１を構成するウェイト１６３および付勢バネ１６５Ｆ，１６５Ｒが、シリンダ１４１の外側に円環状に配置されている。これによりシリンダ１４１の外周空間を有効に活用した配置が可能となる。またハンマ作業時の本体部１０３の振動の方向と、ウェイト１６３および付勢バネ１６５Ｆ，１６５Ｒの重心をハンマビット１１９の長軸線上に一致させる配置が可能となり、本体部１０３に偶力（ハンマビット長軸方向と交差する軸線回りに作用する左右方向の回転力）が作用することを防止できる。
【００３２】
なお、上述した実施の形態は、打撃工具として電動ハンマ１０１を例にとって説明しているが、電動ハンマ１０１に限らず、ハンマビット１１９が長軸方向の打撃動作と長軸回りの回転動作とを行うハンマドリルに適用できることは当然である。
また、上述した実施の形態では、無負荷状態でのハンマビット１１９の空打ちを防止する空打ち防止機構につき、シリンダ１４１に設けた通気孔１４１ｂの開閉制御を、ストライカ１４３によって行う方式の場合で説明したが、これに限らない。例えば、シリンダ１４１の外側に摺動自在に配置したスライドスリーブからなる弁部材を位置決め部材１５１によって移動させることで通気孔１４１ｂの開閉制御を行う構成の空打ち防止機構を用いてもよい。
また、上述した実施の形態では、ハンマビット１１９を直線状に駆動するために、駆動モータ１１１の回転出力を直線運動に変換する運動変換機構１１３としてクランク機構を用いた場合で説明したが、運動変換機構は、クランク機構に限られるものではなく、例えば軸方向に揺動運動を行うスワッシュプレート（斜板）を利用する運動変換機構を用いることが可能である。
【図面の簡単な説明】
【００３３】
【図１】本発明の実施形態に係る電動ハンマの全体構成を示す側断面図である。
【図２】電動ハンマの主要部を示す拡大断面図であり、ハンマビットが被加工材に押し付けられていない無負荷状態を示す。
【図３】電動ハンマの主要部を示す平断面図であり、ハンマビットが被加工材に押し付けられた負荷状態を示す。
【符号の説明】
【００３４】
１０１  電動ハンマ（打撃工具）
１０３  本体部（工具本体）
１０５  モータハウジング
１０７  ギアハウジング
１０７ａ  バネ受面
１０８  筒状部材
１０８ａ  係止面
１０９  ハンドグリップ
１１１  駆動モータ
１１３  運動変換機構
１１５  打撃要素
１１９  ハンマビット
１２１  駆動ギア
１２３  被動ギア
１２５  クランク板
１２６  偏心軸
１２７  クランクアーム
１２８  連結軸
１２９  ピストン（駆動子）
１３７  ツールホルダ
１３７ａ  後端部
１４１  シリンダ
１４１ａ  空気室
１４１ｂ  通気孔
１４３  ストライカ（打撃子）
１４５  インパクトボルト（中間子）
１４５ａ  大径部
１４５ｂ  小径部
１４５ｃ  テーパ部
１５１  位置決め部材
１５３  ラバーリング
１５５  前金属座金
１５７  後金属座金
１５８  止輪
１５９  コイルバネ
１６１  動吸振器
１６３  ウェイト
１６５Ｆ，１６５Ｒ  付勢バネ（弾性要素、位置決め弾性体）
１６７  バネ受部材
１６７ａ  フランジ部
【図１】
2008279585.tif 000003
【図２】
2008279585.tif 000004
【図３】
2008279585.tif 000005